(57)【特許請求の範囲】
【請求項１】
時刻と後記目標レベルに対する消費電力量の大きさを示すための両用目盛と、
時刻に応じて両用目盛を指すための分針を駆動する指針駆動部と、
通信回線又は操作入力機器を介して入力された、３０分単位の各時間区分の消費電力量の目標レベルを記憶する記憶部と、
現在時刻が属する時間区分の開始時刻から現在時刻までの消費電力量を、前記現在時刻が属する時間区分の開始時刻から終了時刻まで所定間隔で取得する物理量取得部と、
前記物理量取得部にて取得した消費電力量の現在時刻における目標レベルに対する大きさを両用目盛にて示すための物理量インディケータと、
前記現在時刻が属する時間区分の開始時刻において分針が指す両用目盛の目盛位置を前記目標レベルに対する消費電力量の大きさの原点位置として、現在時刻において分針の指す両用目盛の目盛位置が現在時刻における消費電力量の目標レベルとなるような比率で前記物理量インディケータを駆動する物理量インディケータ駆動部と、
を有する時計。
【請求項２】
物理量インディケータ駆動部は、
前記物理量インディケータが前記目標レベルを示す両用目盛の目盛位置よりも大きな両用目盛の目盛位置を示すか否か判断する第一判断手段と、
第一判断手段の判断に応じて物理量インディケータの色を制御する第一色制御手段と、
をさらに有する請求項１に記載の時計。
【請求項３】
時刻と後記目標レベルに対する消費電力量の大きさを示すための両用目盛と、
時刻に応じて両用目盛を指すための分針を駆動する指針駆動部と、
通信回線又は操作入力機器を介して入力された、３０分単位の各時間区分の消費電力量の目標レベルを記憶する記憶部と、
現在時刻が属する時間区分の開始時刻から現在時刻までの消費電力量を、前記現在時刻が属する時間区分の開始時刻から終了時刻まで所定間隔で取得する物理量取得部と、
前記物理量取得部にて取得した消費電力量に基づいて前記現在時刻が属する時間区分の終了時刻の消費電力量を予測する物理量予測部と、
前記物理量予測部にて予測した消費電力量の前記現在時刻が属する時間区分の終了時刻における目標レベルに対する大きさを両用目盛にて示すための予測量インディケータと、
前記現在時刻が属する時間区分の開始時刻において分針が指す両用目盛の目盛位置を前記目標レベルに対する消費電力量の大きさの原点位置として、前記現在時刻が属する時間区分の終了時刻において分針の指す両用目盛の目盛位置が前記現在時刻が属する時間区分の終了時刻における消費電力量の目標レベルとなるような比率で前記予測量インディケータを駆動する予測量インディケータ駆動部と、
を有する時計。
【請求項４】
予測量インディケータ駆動部は、
前記予測量インディケータが前記目標レベルとなる両用目盛の目盛位置よりも大きな両用目盛の目盛位置を示すか否か判断する第二判断手段と、
第二判断手段の判断に応じて予測量インディケータの色を制御する第二色制御手段と、
をさらに有する請求項３に記載の時計。
【請求項５】
外部情報を取得する外部情報取得部と、
前記外部情報と分針の色とを関連付けた指針色情報を保持する指針色情報保持部と、をさらに有し、
指針駆動部は、前記外部情報と指針色情報に基づいて分針の色を制御する指針色制御手段を有する請求項１から４のいずれか一に記載の時計。
【発明の詳細な説明】
【技術分野】
【０００１】
本発明は、時刻と物理量を示すことが可能な時計に関する。
【背景技術】
【０００２】
従来から、置き時計や腕時計の種類に関係なく、時刻の情報に加えて物理量を表示することが可能な時計が知られている。
【０００３】
例えば、特許文献１においては、一定期間に達成したい目標に対する現在の達成度を数値的に表示可能なデジタル形式の目標表示時計が開示されている。また、特許文献２においては、特定の目標日まであと何日あるのかを数値的に表示可能なアナログ形式のカウントダウン時計が開示されている。
【先行技術文献】
【特許文献】
【０００４】
【特許文献１】特開２００９−８５９３５
【特許文献２】特開平８−２２６９８２
【発明の概要】
【発明が解決しようとする課題】
【０００５】
しかしながら、従来の時計においては、時計が示す時刻を何気なく見た場合において、現在時刻において目標レベルに対して消費電力量がどれくらいの大きさになっているかなどを簡易に把握することができなかった。このため、特に子供などはその消費電力量について関心を持ちにくく、消費電力量の情報をうまく活用できないケースが多かった。
【課題を解決するための手段】
【０００６】
以上の課題を解決するために、時刻と後記目標レベルに対する消費電力量の大きさを示すための両用目盛と、時刻に応じて両用目盛を指すための分針を駆動する指針駆動部と、通信回線又は操作入力機器を介して入力された、３０分単位の各時間区分の消費電力量の目標レベルを記憶する記憶部と、現在時刻が属する時間区分の開始時刻から現在時刻までの消費電力量を、前記現在時刻が属する時間区分の開始時刻から終了時刻まで所定間隔で取得する物理量取得部と、前記物理量取得部にて取得した消費電力量の現在時刻における目標レベルに対する大きさを両用目盛にて示すための物理量インディケータと、前記現在時刻が属する時間区分の開始時刻において分針が指す両用目盛の目盛位置を前記目標レベルに対する消費電力量の大きさの原点位置として、現在時刻において分針の指す両用目盛の目盛位置が現在時刻における消費電力量の目標レベルとなるような比率で前記物理量インディケータを駆動する物理量インディケータ駆動部と、を有する時計を提案する。
【０００７】
また、時刻と後記目標レベルに対する消費電力量の大きさを示すための両用目盛と、時刻に応じて両用目盛を指すための分針を駆動する指針駆動部と、通信回線又は操作入力機器を介して入力された、３０分単位の各時間区分の消費電力量の目標レベルを記憶する記憶部と、現在時刻が属する時間区分の開始時刻から現在時刻までの消費電力量を、前記現在時刻が属する時間区分の開始時刻から終了時刻まで所定間隔で取得する物理量取得部と、前記物理量取得部にて取得した消費電力量に基づいて前記現在時刻が属する時間区分の終了時刻の消費電力量を予測する物理量予測部と、前記物理量予測部にて予測した消費電力量の前記現在時刻が属する時間区分の終了時刻における目標レベルに対する大きさを両用目盛にて示すための予測量インディケータと、前記現在時刻が属する時間区分の開始時刻において分針が指す両用目盛の目盛位置を前記目標レベルに対する消費電力量の大きさの原点位置として、前記現在時刻が属する時間区分の終了時刻において分針の指す両用目盛の目盛位置が前記現在時刻が属する時間区分の終了時刻における消費電力量の目標レベルとなるような比率で前記予測量インディケータを駆動する予測量インディケータ駆動部と、を有する時計を提案する。
【発明の効果】
【０００８】
以上の構成をとる本発明によって、時計を何気なく見た場合においても、現在時刻において消費電力量が目標レベルに対してどれくらいの大きさになっているかなどを簡易に把握することが可能になる。
【図面の簡単な説明】
【０００９】
【図１】実施形態１の時計の概要を示す図
【図２】実施形態１の時計の機能ブロックの一例を示す図
【図３】実施形態１の時計の他の例を示す図（１）
【図４】実施形態１の時計の他の例を示す図（２）
【図５】実施形態１の時計のハードウェア構成の一例を示す図
【図６】実施形態１の時計の処理の流れの一例を示す図
【図７】実施形態２の時計の概要を示す図
【図８】実施形態２の時計の機能ブロックの一例を示す図
【図９】実施形態２の時計の処理の流れの一例を示す図
【図１０】実施形態３の時計の機能ブロックの一例を示す図
【図１１】実施形態３の時計の処理の流れの一例を示す図
【図１２】実施形態４の時計の概要を示す図
【図１３】実施形態４の時計の機能ブロックの一例を示す図
【図１４】実施形態４の時計の処理の流れの一例を示す図
【図１５】実施形態５の時計の概要を示す図
【図１６】実施形態５の時計の機能ブロックの一例を示す図
【図１７】実施形態５の時計の処理の流れの一例を示す図
【図１８】実施形態６の時計の機能ブロックの一例を示す図
【図１９】実施形態６の時計の処理の流れの一例を示す図
【図２０】実施形態７の時計の機能ブロックの一例を示す図
【図２１】実施形態７の時計の処理の流れの一例を示す図
【図２２】実施形態８の時計の機能ブロックの一例を示す図
【図２３】実施形態８の時計の処理の流れの一例を示す図
【発明を実施するための形態】
【００１０】
以下に、本発明の実施形態を説明する。実施形態と請求項の相互の関係は、以下のとおりである。実施形態１、２は、主に請求項１に対応する。実施形態３は、主に請求項２に対応する。実施形態４、５は、主に請求項３に対応する。実施形態６は、主に請求項４に対応する。実施形態７は、主に請求項１から５に対応する。実施形態８は、主に請求項５に対応する。なお、本発明はこれらの実施形態に何ら限定されるものではなく、その要旨を逸脱しない範囲内において、様々な態様で実施しうる。
【００１１】
<<実施形態１>>
【００１２】
<概要>
図１は、本実施形態の時計の概要を示す図である。この図にあるように、本実施形態の「時計」は、１２時３０分を起点とした物理量について、３０分において「分針」０１０１が指す「両用目盛」０１０２の目盛位置（３０番目の目盛位置）を物理量の原点位置として、物理量の大きさを「両用目盛」０１０２にて示すための「物理量インディケータ」０１０３を駆動する構成を有している。当該構成を有することにより、時計を何気なく見た場合においても、どの時刻を起点とした物理量であり、現在時刻においてどのくらいの大きさになっているかを簡易に把握することが可能になる。
【００１３】
<構成>
図２は、本実施形態の時計の機能ブロックの一例を示す図である。この図にあるように、本実施形態の「時計」０２００は、「両用目盛」０２０１と、「指針」０２０２と、「指針駆動部」０２０３と、「物理量取得部」０２０４と、「物理量インディケータ」０２０５と、「物理量インディケータ駆動部」０２０６と、から構成される。
【００１４】
「両用目盛」は、時刻と後記する物理量を示すための目盛である。つまり、一の目盛により時刻と物理量を示すことが可能である。両用目盛を配置する位置は、図１に示すように時刻表示用文字盤の縁とすることが主として考えられるが、時刻と物理量を示すことが可能であれば特にこれに限定されるものではない。両用目盛の数は、一般的な時計と同様に６０とすることが考えられるが、その倍数となる目盛数とすることも可能であるし（例えば、１２０）、その公約数となる目盛数とすることも可能である（例えば、１２）。
【００１５】
また、両用目盛の目盛一つ分に対する物理量の大きさ（両用目盛と物理量の比率）は任意に設定することが可能である。両用目盛と物理量の比率の一例としては、基本単位時間を示す両用目盛の目盛数（例えば、目盛１個）に対して、基本単位時間当たりに変化すると見込まれる物理量の単位（例えば、１ｋＷｈ）とすることが考えられる。また、所定の時間区分に相当する両用目盛の目盛数（例えば、目盛３０個）に対して、当該所定の時間区分において目標とすべき物理量の大きさ（例えば、５ｋＷｈ）とすることも考えられる。
【００１６】
「指針駆動部」は、時刻に応じて両用目盛を指すための指針を駆動する。ここで、指針とは、時針、分針、秒針のいずれかをいうものである。なお、指針駆動部が駆動する指針が例えば分針であるとしても、時針、秒針がないことを意味するものではない。また、指針駆動部の指針の形状は必ずしも針形状とする必要はなく、両用目盛において時刻を指し示すことが可能なものであれば足りる。例えば、時刻に対応するよう両用目盛の目盛位置近辺に表示される小さな光点やアイコンなども含まれるものである。指針の駆動手段としては、指針が物理的なものであればステップモーターなどが主として考えられる。また、時刻表示用文字盤をディスプレイとして表示出力する構成も考えられる。
【００１７】
「物理量取得部」は、所定時刻を起点とした物理量の情報を取得する。取得する物理量としては種々考えられるが、例えば、所定時刻を起点とした発電量や売電量、買電量、消費電力量などや、所定時刻を起点とした走行距離や泳いだ距離、所定時刻を起点とした歩数や腕立て伏せの回数、スクワットの回数などが挙げられるが、これらに限定されるものではない。ここで、所定時刻は固定的なものではない。例えば、１２時１５分を起点とした走行距離の情報を取得している場合において１２時３０分になった場合、今度は１２時３０分を起点とした走行距離の情報を取得する、といった構成も考えられる。
【００１８】
物理量を取得する構成としては、温度センサーや加速度センサーなどの検知器を介して取得する構成や、有線又は無線の通信回線を介して取得する構成、操作入力機器を介して取得する構成が考えられる。
【００１９】
なお、物理量を取得する構成として、内部処理装置の演算処理を介して取得する構成も含まれるものである。例えば、所定時刻及び現在時刻においてＧＰＳ受信機を介して各時刻における緯度・経度の情報を取得し、所定時刻から現在時刻までの移動量を内部演算処理により算出することが考えられる。また、所定時刻及び現在時刻において電力量モニターを介して各時刻までの電力消費量の情報を取得し、所定時刻から現在時刻までに消費された電力量を算出することも考えられる。
【００２０】
「物理量インディケータ駆動部」は、前記所定時刻において前記指針が指す両用目盛の目盛位置を物理量の原点位置として、取得した物理量の大きさを両用目盛にて示すための物理量インディケータを駆動する。ここでいう前記指針とは、指針駆動部にて駆動される指針をいうものであり、時針、分針、秒針のいずれかに該当する。
【００２１】
例えば、前記所定時刻が午後５時１５分３０秒である場合は、分針が指す１５分の両用目盛の目盛位置（１５番目の目盛位置）を物理量の原点位置とすることが考えられる。なお、物理量の変化を秒単位で示したい場合は秒針が指す３０秒の目盛位置（３０番目の目盛位置）を物理量の原点位置とし、時単位で示したい場合は時針が指す５時の目盛位置（５番目の目盛位置）を物理量の原点位置とすることも可能である。この場合、指針駆動部にて駆動される指針は、それぞれ秒針、時針を意味するものである。
【００２２】
物理量インディケータとしては、例えば図１に示したように、時計文字盤の両用目盛の各目盛位置に対応するように発光要素を配置する構成が考えられる。この場合、物理量の大きさに応じて、原点位置から所定の目盛位置まで発光要素を点灯させたり、原点位置の発光要素と所定の目盛位置の発光要素のみを点灯させたりすることが考えられる。なお、発光要素の材料としては、ＬＥＤ素子やＥＬ素子などを用いることが考えられる。また、図３に示すように、「物理量インディケータ」０３０１として、時計文字盤の内側に「両用目盛」０３０２に対応するように発光要素を設ける構成も可能であるし、時計文字盤の両用目盛上に発光要素を設ける構成も可能である。なお、物理量インディケータはディスプレイ機能により表示出力させる構成も可能である。
【００２３】
また、両用目盛を利用して表す物理量が複数ある場合は、各物理量を両用目盛にて示すために複数の物理量インディケータを設ける構成も可能である。例えば、図４に示すように物理量１について時計文字盤の外側にある円環状に配置された「物理量インディケータＡ」０４０１でその大きさを示し、物理量２についてはさらに外側にある円環状に配置された「物理量インディケータＢ」０４０２でその大きさを示す構成が考えられる。また、さらに物理量が存在する場合は時計文字盤の内側にある物理量インディケータでその大きさを示すことも可能である。当該構成とすることにより、時計を一見するだけで複数の物理量の大きさを把握することが可能になる。
【００２４】
<具体的な構成>
図５は、上記時計の機能的な各構成をハードウェアとして実現した際の構成の一例を示す概略図である。この図を利用して、それぞれのハードウェア構成部の働きについて説明する。
【００２５】
この図にあるように、時計は、「ＣＰＵ」０５０１と、「ＲＡＭ」０５０２と、「ＲＯＭ」０５０３と、「不揮発性メモリ」０５０４と、「水晶発振器」０５０５と、「指針制御回路」０５０６と、「指針駆動機構」０５０７と、「発光制御回路」０５０８と、「発光器」０５０９と、「通信器」０５１０と、を備える。当該構成は、「システムバス」０５１１のデータ通信経路によって相互に接続され、情報の送受信や処理を行う。ここで、発光器は、時計文字盤の各目盛位置付近に配置された複数の発光要素からなる。
【００２６】
ＣＰＵは、水晶発振器からの信号に基づいて指針制御回路に対して所定タイミングで制御信号を送信する。制御信号を受け取った指針制御回路は指針駆動機構を介して指針を制御する。
【００２７】
また、ＣＰＵは、通信器を介して所定時刻を起点とする物理量の情報を取得し、ＲＡＭに格納する。続いて、ＣＰＵは、上記所定時刻において分針が指し示す両用目盛の目盛位置を物理量の原点位置として設定する処理を行う。さらに、ＣＰＵは、取得した物理量の大きさに応じて点灯させるべき発光要素数を決定する処理を行う。さらに、ＣＰＵは、発光制御回路に対して、上記原点位置を基準として上記発光要素数の発光要素を点灯させるための制御信号を出力する。制御信号を受信した発光制御回路は点灯させるべき発光要素を点灯させる。
【００２８】
<処理の流れ>
図６は、時刻と物理量を示すための両用目盛を備える時計における処理の流れを示すフローチャートである。同図の処理の流れは以下のステップからなる。最初にステップＳ０６０１では、時刻に応じて両用目盛を指すための指針を駆動する（指針指示ステップ）。次にステップＳ０６０２では、所定時刻を起点とした物理量の情報を取得する（物理量取得ステップ）。次にステップＳ０６０３では、前記所定時刻において前記指針が指す両用目盛の目盛位置を物理量の原点位置として、取得した物理量の大きさを両用目盛にて示すための物理量インディケータを駆動する（物理量表示ステップ）。
【００２９】
<効果>
本実施形態の時計により、当該構成を有することにより、時計を何気なく見た場合においても、どの時刻を起点とした物理量であり、現在時刻においてどのくらいの大きさになっているかを簡易に把握することが可能になる。
【００３０】
<<実施形態２>>
【００３１】
<概要>
本実施形態の時計は、基本的に実施形態１で示した時計と同様であるが、図７に示すように、現在時刻（１０時２３分０９秒）において「分針」の指す「両用目盛」の「目盛位置（２３番目の目盛位置）」０７０１が「現在時刻における物理量（１８番目の目盛位置）」０７０２の「目標レベル」となるような比率（両用目盛と物理量の比率）で「物理量インディケータ」を駆動している。当該構成とすることにより、現在時刻の物理量が現在時刻における物理量の目標レベルに対してどれくらいであるかを容易に把握することが可能になる。
【００３２】
<構成>
図８は、本実施形態の時計の機能ブロックの一例を示す図である。この図にあるように、本実施形態の「時計」０８００は、「両用目盛」０８０１と、「指針」０８０２と、「指針駆動部」０８０３と、「物理量取得部」０８０４と、「物理量インディケータ」０８０５と、「物理量インディケータ駆動部」０８０６と、から構成され、「物理量インディケータ駆動部」は「第一駆動手段」０８０７を有する。以下、実施形態１との相違点である第一駆動手段について説明する。
【００３３】
「第一駆動手段」は、現在時刻において前記指針の指す両用目盛の目盛位置が現在時刻における物理量の目標レベルとなるような比率で物理量インディケータを駆動する。
【００３４】
実施形態１で述べたように、物理量インディケータは、取得した物理量の大きさを両用目盛にて示すためのものである。取得した物理量は目標レベルと対比するとさらに理解しやすい値となる。また、現在時刻における物理量の目標レベルを指針の指す両用目盛に対応させることにより、指針と物理量インディケータを対比して現在時刻における物理量が目標レベルと比較してどれくらいであるかを即座に把握することが可能になる。
【００３５】
一例として、６時００分から６時３０分までの消費電力量の目標レベルが６０ｋＷｈである場合を考える。この場合、６時００分から６時３０分までの任意の時刻の目標レベルを算出することが可能である。例えば、６時２０分における目標レベルは４０ｋＷｈであると算出できる。ここで、２０分における現実の消費電力量が３０ｋＷｈである場合は、現実の消費電力量は目標レベルの３／４である。よって、物理量インディケータは、両用目盛の１５分の目盛位置（１５番目の目盛位置）を指し示すことになる。これにより、物理量インディケータの位置から６時２０分現在における消費電力量は目標とする消費電力量の３／４であると判断することが可能になる。
【００３６】
上記駆動手段において用いる物理量の目標レベルの情報は、予め内部の記憶装置にて保持しておくことも可能であるし、有線又は無線の通信回線を介して外部装置から取得する構成も可能であるし、操作入力機器を介して操作入力を受け付けることや、ＵＳＢメモリなどの記憶装置などを介して取得することも可能である。なお、一の時刻における物理量の目標レベルを他の時刻における物理量の目標レベルに基づいて算出することも、目標レベルの取得の態様として含まれるものである。
【００３７】
<具体的な構成>
本実施形態の時計のハードウェア構成は、基本的に図５を用いて説明した実施形態１の時計のハードウェア構成と共通する。以下、実施形態１との相違点である処理について説明する。
【００３８】
ＣＰＵは、不揮発性メモリに格納されている各時間区分の物理量の目標レベルのデータをＲＡＭに読み出す。続いて、現在時刻における物理量の目標レベルを、現在時刻が属する時間区分の目標レベルのデータに基づいて算出する処理を行う。例えば、６時００分から６時３０分までの時間区分の消費電力量の目標レベルが６０ｋＷｈである場合は、６時２０分現在における目標レベルは４０ｋＷｈであると算出する。
【００３９】
さらにＣＰＵは、現在時刻における現実の物理量の値に対する現在時刻における目標レベルの値の比率を算出する処理を行い、処理結果をＲＡＭに格納する。また、物理量の原点位置となる両用目盛の目盛位置と、現在時刻において分針が指し示す両用目盛の目盛位置と、上記算出された比率に基づいて、原点位置となる両用目盛の目盛位置に配置された発光要素を基準として点灯させるべき発光要素を決定する処理を行う。  
【００４０】
<処理の流れ>
図９は、本実施形態の時刻と物理量を示すための両用目盛を備える時計における処理の流れを示すフローチャートである。同図の処理の流れは以下のステップからなる。最初にステップＳ０９０１では、時刻に応じて両用目盛を指すための指針を駆動する（指針指示ステップ）。次にステップＳ０９０２では、所定時刻を起点とした物理量の情報を取得する（物理量取得ステップ）。次にステップＳ０９０３では、前記所定時刻において前記指針が指す両用目盛の目盛位置を物理量の原点位置として、かつ、現在時刻において前記指針の指す両用目盛の目盛位置が現在時刻における物理量の目標レベルとなるような比率で、取得した物理量の大きさを両用目盛にて示すための物理量インディケータを駆動する（物理量対比表示ステップ）。
【００４１】
<効果>
本実施形態の時計により、実施形態１の効果に加えて、現在時刻の物理量が現在時刻における物理量の目標レベルに対してどれくらいであるかを容易に把握することが可能になる。
【００４２】
<<実施形態３>>
【００４３】
<概要>
本実施形態の時計は、基本的に実施形態２の時計と同様であるが、物理量インディケータが目標レベルを示す両用目盛の目盛位置よりも大きな両用目盛の目盛位置を示すか否かに応じて物理量インディケータの色を制御することが可能である。当該構成とすることにより、物理量インディケータの色の変化により、目標レベルに対する物理量の大小を容易に把握することが可能になる。
【００４４】
<構成>
図１０は、本実施形態の時計の機能ブロックの一例を示す図である。この図にあるように、本実施形態の「時計」１０００は、「両用目盛」１００１と、「指針」１００２と、「指針駆動部」１００３と、「物理量取得部」１００４と、「物理量インディケータ」１００５と、「物理量インディケータ駆動部」１００６と、から構成され、「物理量インディケータ駆動部」は「第一駆動手段」１００７と「第一判断手段」１００８と「第一色制御手段」１００９を有する。以下、実施形態１、２との相違点である第一判断手段と第一色制御手段について説明する。
【００４５】
「第一判断手段」は、前記物理量インディケータが前記目標レベルを示す両用目盛の目盛位置よりも大きな両用目盛の目盛位置を示すか否か判断する。
【００４６】
「第一色制御手段」は、第一判断手段の判断に応じて物理量インディケータの色を制御する。当該制御は、例えば指針基準判断手段の判断と物理量インディケータの色とを関連付けたデータ（例えばテーブルデータ）に基づいて行うことが可能である。
【００４７】
<具体的な構成>
本実施形態の時計のハードウェア構成は、基本的に図５を用いて説明した実施形態１の時計のハードウェア構成と共通する。以下、実施形態１から３との相違点である処理について説明する。
【００４８】
ＣＰＵは、現在時刻における目標レベルの値と物理量の値を比較して、物理量インディケータが目標レベルとなる両用目盛よりも大きな両用目盛を示すか否か判断する処理を行い、処理結果をＲＡＭに格納する。
【００４９】
さらにＣＰＵは、ＲＯＭに格納されている上記処理により発生しうる判断結果（大きいか、否か）と物理量インディケータの色とを関連付けたテーブルデータをＲＡＭに読み出し、上記処理結果とテーブルデータに基づいて物理量インディケータの色を決定する処理を行う。
【００５０】
さらにＣＰＵは、発光制御回路に対して物理量インディケータの色を指定する信号を出力する。色を指定する信号を受信した発光制御回路は発光要素の色を制御する処理を行う。
【００５１】
<処理の流れ>
図１１は、時刻と物理量を示すための両用目盛を備える時計における処理の流れを示すフローチャートである。同図の処理の流れは以下のステップからなる。最初にステップＳ１１０１では、時刻に応じて両用目盛を指すための指針を駆動する（時刻指示ステップ）。次にステップＳ１１０２では、所定時刻を起点とした物理量の情報を取得する（物理量取得ステップ）。次にステップＳ１１０３では、前記所定時刻において前記指針が指す両用目盛の目盛位置を物理量の原点位置として、かつ、現在時刻において前記指針の指す両用目盛の目盛位置が現在時刻における物理量の目標レベルとなるような比率で、取得した物理量の大きさを両用目盛にて示すための物理量インディケータを駆動する（物理量対比表示ステップ）。次にステップＳ１１０４では、前記物理量インディケータが前記目標レベルを示す両用目盛の目盛位置よりも大きな両用目盛の目盛位置を示すか否か判断する（物理量対比判断ステップ）。次にステップＳ１１０５では、物理量対比判断ステップでの判断に応じて物理量インディケータの色を制御する（物理量色制御ステップ）。
【００５２】
<効果>
本実施形態の時計により、実施形態１、２の効果に加えて、物理量インディケータの色の変化により、目標レベルに対する物理量の大小を直感的に把握することが可能になる。
【００５３】
<<実施形態４>>
【００５４】
<概要>
図１２は、本実施形態の時計の概要を示す図である。この図にあるように、本実施形態の「時計」は、１２時３０分を起点とした物理量について、３０分において「分針」１２０１が指す「両用目盛」１２０２の目盛位置（３０番目の目盛位置）を物理量の原点位置として、１３時００分において取得されると予測される物理量の大きさを「両用目盛」１２０２にて示すための「予測量インディケータ」１２０３を駆動する構成を有している。当該構成を有することにより、時計を何気なく見た場合においても、どの時刻を起点とした予測物理量であり、先の時刻において予測される物理量の大きさはどのくらいかを簡易に把握することが可能になる。
【００５５】
<構成>
図１３は、本実施形態の時計の機能ブロックの一例を示す図である。この図にあるように、本実施形態の「時計」１３００は、「両用目盛」１３０１と、「指針」１３０２と、「指針駆動部」１３０３と、「物理量取得部」１３０４と、「物理量予測部」１３０５と、「予測量インディケータ」１３０６と、「予測量インディケータ駆動部」１３０７と、から構成される。以下、実施例１から３との相違点である、物理量予測部と、予測量インディケータ駆動部について説明する。
【００５６】
「物理量予測部」は、取得した物理量の情報に基づいて前記所定時刻から所定時間先の時刻の物理量を予測する。ここで、所定時間先の時刻としては、現在時刻が属する時間区分の終了時刻（例えば、１２時３０分から１３時００分の時間区分の終了時刻である１３時００分）とすることが考えられるが、これに限定されるものではない。
【００５７】
一例として、前記所定時刻から現在時刻までに発電された電力量に基づいて所定時間先の時刻までに発電される電力量を予測することが考えられる。具体的には、前記所定時刻から現在時刻までの物理量の変化を一次関数又は多次関数でフィッティングする処理を行い、所定時刻先の時刻の物理量を予測することが考えられる。例えば、３時００分から３時１５分までに５ｋＷｈの電力量が発電された場合は、一次関数でフィッティングする処理を行い、３時３０分までに１０ｋＷｈの電力量が発電されると予測することが考えられる。また、３時００分から３時１０分までに１ｋＷｈの電力量が発電され、３時００分から３時２０分までに４ｋＷｈの電力量が発電された場合は、二次関数でフィッティングする処理を行い、３時３０分までに９ｋＷｈの電力量が発電されると予測することが考えられる。また、所定時刻から現在時刻までの物理量のデータをさらに利用して高次元関数でフィッティングする処理を行い、所定時間先の時刻の物理量を予測することも可能である。
【００５８】
「予測量インディケータ駆動部」は、前記所定時刻において前記指針が指す両用目盛の目盛位置を物理量の原点位置として、予測した物理量の大きさを両用目盛にて示すための予測量インディケータを駆動する。
【００５９】
予測量インディケータのその他の具体的な構成は物理量インディケータと同様である。なお、予測量インディケータと物理量インディケータを両方備える構成とすることも考えられる。
【００６０】
例えば、予測量インディケータを時計文字盤の外側に設け、物理量インディケータを時計文字盤の内側に設ける構成が考えられる。当該構成とすることにより、現在時刻の物理量と所定時刻から所定時間先の時刻の物理量を一見して把握することが可能になる。
【００６１】
<具体的な構成>
本実施形態の時計のハードウェア構成は、基本的に図５を用いて説明した実施形態１の時計のハードウェア構成と共通する。
【００６２】
ＣＰＵは、水晶発振器からの信号に基づいて指針制御回路に対して所定タイミングで制御信号を送信する。制御信号を受け取った指針制御回路は指針駆動機構を介して指針を制御する。
【００６３】
また、ＣＰＵは、通信器を介して所定時刻を起点とする物理量の情報を取得し、ＲＡＭに格納する。続いて、ＣＰＵは、上記所定時刻において分針が指し示す両用目盛の目盛位置を物理量の原点位置として設定する処理を行う。さらに、ＣＰＵは、取得した物理量のデータに基づいて、所定時刻から現在時刻までの物理量の変化を関数でフィッティングする処理を行い、前記所定時刻から所定時間先の時刻の予測物理量を算出する処理を行い、処理結果をＲＡＭに格納する。さらに、ＣＰＵは、予測物理量の大きさに応じて点灯させるべき発光要素数を決定する処理を行う。さらに、ＣＰＵは、発光制御回路に対して、上記原点位置を基準として上記発光要素数の発光要素を点灯させるための制御信号を出力する。制御信号を受信した発光制御回路は点灯させるべき発光要素を点灯させる。
【００６４】
<処理の流れ>
図１４は、本実施形態の時刻と物理量を示すための両用目盛を備える時計における処理の流れを示すフローチャートである。同図の処理の流れは以下のステップからなる。最初にステップＳ１４０１では、時刻に応じて両用目盛を指針で指す（時刻指示ステップ）。次にステップＳ１４０２では、所定時刻を起点とする物理量の情報を取得する（物理量取得ステップ）。次にステップＳ１４０３では、取得した物理量の情報に基づいて前記所定時刻から所定時間先の時刻の物理量を予測する（物理量予測ステップ）。次にステップＳ１４０４では、前記所定時刻において前記指針が指す両用目盛の目盛位置を物理量の原点位置として、予測した物理量の大きさを両用目盛にて示すための予測量インディケータを駆動する（予測量表示ステップ）。
【００６５】
<効果>
本実施形態の時計により、時計を何気なく見た場合においても、どの時刻を起点とした物理量であり、所定時刻から所定時間先の時刻においてどのくらいの大きさになると予測されるかを簡易に把握することが可能になる。
【００６６】
<<実施形態５>>
【００６７】
<概要>
本実施形態の時計は、基本的に実施形態４で示した時計と同様であるが、図１５に示すように、物理量の起点となる所定時刻（１０時００分）から所定時間先（３０分先）の時刻において「分針」の指す「両用目盛」の「目盛位置（３０番目の目盛位置）」１５０１が「上記所定時間先の時刻における物理量（３６番目の目盛位置）」１５０２の「目標レベル」となるような比率（両用目盛と物理量の比率）で「予測量インディケータ」を駆動している。当該構成とすることにより、先の時刻において予測される物理量が先の時刻における物理量の目標レベルに対してどれくらいであるかを容易に把握することが可能になる。
【００６８】
<構成>
図１６は、本実施形態の時計の機能ブロックの一例を示す図である。この図にあるように、本実施形態の「時計」１６００は、「両用目盛」１６０１と、「指針」１６０２と、「指針駆動部」１６０３と、「物理量取得部」１６０４と、「物理量予測部」１６０５と、「予測量インディケータ」１６０６と、「予測量インディケータ駆動部」１６０７と、から構成され、「予測量インディケータ駆動部」は「第二駆動手段」１６０８を有する。以下、実施例１から４との相違点である第二駆動手段について説明する。
【００６９】
「第二駆動手段」は、前記所定時間先の時刻において前記指針の指す両用目盛の目盛位置が前記所定時間先の時刻における物理量の目標レベルとなるような比率で予測量インディケータを駆動する。
【００７０】
実施形態４で述べたように、予測量インディケータは、前記所定時刻において前記指針が指す両用目盛の目盛位置を物理量の原点位置として、予測した物理量の大きさを両用目盛にて示すためのものである。上記予測物理量は上記所定時間先の時刻における物理量の目標レベルと対比するとさらに理解しやすい値となる。また、所定時間先の時刻における物理量の目標レベルを所定時間先の時刻において指針の指す両用目盛の目盛位置に対応させることにより、当該両用目盛の目盛位置と予測量インディケータと対比して先の時刻における予測物理量が目標レベルと比較してどれくらいであるかを即座に把握することが可能になる。
【００７１】
一例として６時００分から６時３０分までの消費電力量の目標レベルが６０ｋＷｈである場合を考える。６時００分から６時１５分までの消費電力量の値が２０ｋＷｈである場合、一次関数によるフィッティングを行い、６時３０分において４０ｋＷｈの電力量が消費されると予測される。ここで、６時３０分において分針の指す両用目盛の目盛位置（３０番目の目盛位置）が目標レベルである６０ｋＷｈに対応しているため、予測量インディケータは４０ｋＷｈを表す両用目盛の目盛位置である２０番目の両用目盛の目盛位置をその点灯範囲で示すことになる。これにより、予測量インディケータの位置から６時１５分現在において予測される６時３０分の消費電力量は目標とする消費電力量の２／３であると判断することが可能になる。
【００７２】
上記第二駆動手段において用いる所定時間先の物理量の目標レベルの情報は、有線又は無線の通信回線を介して外部装置から取得する構成とすることも可能であるし、操作入力機器を介して操作入力を受け付けることや、ＵＳＢメモリなどの記憶装置などから取得することも可能である。また、一の時刻における物理量の目標レベルを他の時刻における物理量の目標レベルに基づいて算出することも、目標レベルの取得の態様として含まれるものである。
【００７３】
<具体的な構成>
本実施形態の時計のハードウェア構成は、基本的に図５を用いて説明した実施形態１の時計のハードウェア構成と共通する。以下、実施形態４との相違点である処理について説明する。
【００７４】
ＣＰＵは、不揮発性メモリに格納されている各時間区分の終了時刻における物理量の目標レベルのデータをＲＡＭに読み出す。さらにＣＰＵは、現在の時刻が属する時間区分の終了時刻において取得されると予測される物理量を算出する。さらにＣＰＵは、終了時刻における予測物理量の値に対する終了時刻における目標レベルの値の比率を算出する処理を行い、処理結果をＲＡＭに格納する。また、物理量の原点位置となる両用目盛の目盛位置と、終了時刻において分針が指し示す両用目盛の目盛位置と、上記算出された比率に基づいて、原点位置となる両用目盛の目盛位置に配置された発光要素を基準として点灯させるべき発光要素を決定する処理を行う。  
【００７５】
<処理の流れ>
図１７は、本実施形態の時刻と物理量を示すための両用目盛を備える時計における処理の流れを示すフローチャートである。同図の処理の流れは以下のステップからなる。最初にステップＳ１７０１では、時刻に応じて両用目盛を指針で指す（時刻指示ステップ）。次にステップＳ１７０２では、所定時刻を起点とする物理量の情報を取得する（物理量取得ステップ）。次にステップＳ１７０３では、取得した物理量の情報に基づいて前記所定時刻から所定時間先の時刻の物理量を予測する（物理量予測ステップ）。次にステップＳ１７０４では、前記所定時刻において前記指針が指す両用目盛の目盛位置を物理量の原点位置とし、かつ、前記所定時間先の時刻において前記指針の指す両用目盛の目盛位置が前記所定時間先の時刻における物理量の目標レベルとなるような比率で、予測した物理量の大きさを両用目盛にて示すための予測量インディケータを駆動する（予測量対比表示ステップ）。
【００７６】
<効果>
本実施形態の時計により、実施形態４の効果に加えて、先の時刻において予測される物理量が先の時刻における物理量の目標レベルに対してどれくらいであるかを容易に把握することが可能になる。
【００７７】
<<実施形態６>>
【００７８】
<概要>
本実施形態の時計は、基本的に実施形態５の時計と同様であるが、予測量インディケータが目標レベルを示す両用目盛の目盛位置よりも大きな両用目盛の目盛位置を示すか否かに応じて予測量インディケータの色を制御することが可能である。当該構成とすることにより、予測量インディケータの色の変化により、目標レベルに対する予測物理量の大小を容易に把握することが可能になる。
【００７９】
<構成>
図１８は、本実施形態の時計の機能ブロックの一例を示す図である。この図にあるように、本実施形態の「時計」１８００は、「両用目盛」１８０１と、「指針」１８０２と、「指針駆動部」１８０３と、「物理量取得部」１８０４と、「物理量予測部」１８０５と、「予測量インディケータ」１８０６と、「予測量インディケータ駆動部」１８０７と、から構成され、「予測量インディケータ駆動部」は「第二駆動手段」１８０８と、「第二判断手段」１８０９と、「第二色制御手段」１８１０を有する。以下、実施例１から５との相違点である第二判断手段と、第二色制御手段について説明する。
【００８０】
「第二判断手段」は、前記予測量インディケータが前記目標レベルとなる両用目盛の目盛位置よりも大きな両用目盛の目盛位置を示すか否か判断する。
【００８１】
「予測量インディケータ色制御手段」は、第二判断手段の判断に応じて予測量インディケータの色を制御する。当該制御は、第二判断手段から出力され得る判断の区分と予測量インディケータの色とを関連付けたデータ（例えばテーブルデータ）に基づいて行うことが可能である。
【００８２】
<具体的な構成>
本実施形態の時計のハードウェア構成は、基本的に図５を用いて説明した実施形態１の時計のハードウェア構成と共通する。以下、実施形態４、５との相違点である処理について説明する。
【００８３】
ＣＰＵは、所定時刻より所定時間先の時刻における目標レベルの値と予測物理量の値を比較して、予測量インディケータが目標レベルとなる両用目盛の目盛位置よりも大きな両用目盛の目盛位置を示すか否か判断する処理を行い、処理結果をＲＡＭに格納する。
【００８４】
さらにＣＰＵは、ＲＯＭに格納されている上記処理により発生しうる判断結果（大きいか、否か）と予測量インディケータの色とを関連付けたテーブルデータをＲＡＭに読み出し、上記処理結果とテーブルデータに基づいて予測量インディケータの色を決定する処理を行う。
【００８５】
さらにＣＰＵは、発光制御回路に対して予測量インディケータの色を指定する信号を出力する。色を指定する信号を受信した発光制御回路は発光要素の色を制御する処理を行う。
【００８６】
<処理の流れ>
図１９は、本実施形態の時刻と物理量を示すための両用目盛を備える時計における処理の流れを示すフローチャートである。同図の処理の流れは以下のステップからなる。最初にステップＳ１９０１では、時刻に応じて両用目盛を指針で指す（時刻指示ステップ）。次にステップＳ１９０２では、所定時刻を起点とする物理量の情報を取得する（物理量取得ステップ）。次にステップＳ１９０３では、取得した物理量の情報に基づいて前記所定時刻から所定時間先の時刻の物理量を予測する（物理量予測ステップ）。次にステップＳ１９０４では、前記所定時刻において前記指針が指す両用目盛の目盛位置を物理量の原点位置とし、かつ、前記所定時間先の時刻において前記指針の指す両用目盛の目盛位置が前記所定時間先の時刻における物理量の目標レベルとなるような比率で、予測した物理量の大きさを両用目盛にて示すための予測量インディケータを駆動する（予測量対比表示ステップ）。次にステップＳ１９０５では、前記予測量インディケータが前記目標レベルとなる両用目盛の目盛位置よりも大きな両用目盛の目盛位置を示すか否か判断する（予測量対比判断ステップ）。次にステップＳ１９０６では、予測量対比判断ステップの判断に応じて予測量インディケータの色を制御する（予測量色制御ステップ）。
【００８７】
<効果>
本実施形態の時計により、実施形態５の効果に加えて、予測量インディケータの色の変化により、目標レベルに対する予測物理量の大小を容易に把握することが可能になる。
【００８８】
<<実施形態７>>
【００８９】
<概要>
本実施形態の時計は、物理量取得部は前記所定時刻から現在時刻までに消費された電力量を取得することを特徴とする。当該構成とすることにより、時計を何気なく見た場合においても、どの時刻を起点とした消費電力量であり、現在時刻においてどのくらいの大きさになっているかを簡易に把握することが可能になる。
【００９０】
<構成>
図２０は、本実施形態の時計の機能ブロックの一例を示す図である。この図にあるように、本実施形態の「時計」２０００は、「両用目盛」２００１と、「指針」２００２と、「指針駆動部」２００３と、「物理量取得部」２００４と、「物理量インディケータ」２００５と、「物理量インディケータ駆動部」２００６と、から構成され、「物理量取得部」は「電力量取得手段」２００７を有する。なお、実施形態４の構成を基本とする構成も可能である。以下、実施形態１から６との相違点である電力量取得手段について説明する。
【００９１】
「電力量取得手段」は、前記所定時刻から現在時刻までに消費された電力量を取得する。取得した消費電力量の情報は揮発性メモリにおいて一時的に保持する構成とすることも可能であるし、不揮発性メモリにおいて長期的に保持する構成とすることも可能である。
【００９２】
例えば、３０分単位で消費電力量を取得する場合を考える。この場合、３時００分から消費した電力量を３時３０分まで所定間隔（例えば、１分ごと）で取得し、新たに３時３０分から消費した電力量を４時００分まで所定間隔で取得する。このように、電力量取得手段は特定の時間区分で消費電力量を取得することが可能である。
【００９３】
また、本実施形態の時計は、前記所定時刻から現在時刻までに消費された電力量に関する目標レベルを取得する消費目標レベル取得部を合わせて有する構成も可能である。当該目標レベルは、有線又は無線の通信回線を介して取得することも可能であるし、内部の記憶装置から取得することも可能である。
【００９４】
また、特定の時間区分で消費電力量を取得する場合は、特定の時間区分ごとに目標レベルを取得する構成も考えられる。例えば、３時００分から３時３０分までの消費電力量の目標レベルと３時３０分から４時００分までの消費電力量の目標レベルをそれぞれ取得することが考えられる。
【００９５】
目標レベルとする値は、過去の電気の使用履歴に基づいて決定する構成も可能である。例えば、過去所定期間（例えば、過去２週間）の各時間区分の消費電力量を参照して時間区分ごとに最小値を算出し、各時間区分の目標レベルとして設定することが考えられる。また、過去所定期間の各時間区分について平均値を算出し、各時間区分の目標レベルとして設定することも考えられる。また、各曜日の各時間区分で目標レベルを設定する構成も考えられる。この場合、過去所定期間（例えば、過去１カ月）の各曜日の各時間区分の消費電力量を参照して各曜日の時間区分ごとに最小値（平均値なども可能）を算出し、各曜日の各時間区分の目標レベルとして設定する構成が考えられる。
【００９６】
<具体的な構成>
本実施形態の時計のハードウェア構成は、基本的に図５を用いて説明した実施形態１の時計のハードウェア構成と共通する。以下、実施形態１から７との相違点である処理について説明する。
【００９７】
ＣＰＵは、通信器を介して所定時刻までの消費電力量と現在時刻までの消費電力量を取得し、ＲＡＭに格納する。続いて、ＣＰＵは前記所定時刻から現在時刻までに消費された電力量を算出する処理を行い、ＲＡＭに格納する。続いて、ＣＰＵは、上記所定時刻において分針が指し示す両用目盛の目盛位置を前記所定時刻から現在時刻までに消費された電力量の原点位置として設定する処理を行う。さらに、ＣＰＵは、前記所定時刻から現在時刻までに消費された電力量の大きさに応じて点灯させるべき発光要素数を決定する処理を行う。さらに、ＣＰＵは、発光制御回路に対して、上記原点位置を基準として上記発光要素数の発光要素を点灯させるための制御信号を出力する。制御信号を受信した発光制御回路は点灯させるべき発光要素を点灯させる。
【００９８】
<処理の流れ>
図２１は、時刻と物理量を示すための両用目盛を備える時計における処理の流れを示すフローチャートである。同図の処理の流れは以下のステップからなる。最初にステップＳ２１０１では、時刻に応じて両用目盛を指すための指針を駆動する（指針指示ステップ）。次にステップＳ２１０２では、前記所定時刻から現在時刻までに消費された電力量を取得する（消費電力量取得ステップ）。次にステップＳ２１０３では、前記所定時刻において前記指針が指す両用目盛の目盛位置を前記所定時刻から現在時刻までに消費された電力量の原点位置として、前記所定時刻から現在時刻までに消費された電力量の大きさを両用目盛にて示すための物理量インディケータを駆動する（消費電力量表示ステップ）。なお、実施形態４の処理の流れを基本とする処理の流れも可能である。
【００９９】
<効果>
本実施形態の時計により、当該構成を有することにより、時計を何気なく見た場合においても、どの時刻を起点とした消費電力量であり、現在時刻においてどのくらいの大きさになっているかを簡易に把握することが可能になる。
【０１００】
<<実施形態８>>
【０１０１】
<概要>
本実施形態の時計は、基本的に実施形態１、４の時計と同様であるが、外部情報を取得し、外部情報と指針の色とを関連付けた指針色情報に基づいて指針の色を制御する構成を有する。当該構成により、外部情報を指針の色で表すことが可能になる。
【０１０２】
<構成>
図２２は、本実施形態の時計の機能ブロックの一例を示す図である。この図にあるように、本実施形態の「時計」２２００は、「両用目盛」２２０１と、「指針」２２０２と、「指針駆動部」２２０３と、「物理量取得部」２２０４と、「物理量インディケータ」２２０５と、「物理量インディケータ駆動部」２２０６と、「外部情報取得部」２２０７と、「指針色情報保持部」２２０８と、から構成され、「指針駆動部」は「指針色制御手段」２２０９を有する。なお、実施形態４の構成を基本とする構成も可能である。以下、実施形態１から７との相違点である外部情報取得部と、指針色情報保持部と、指針色制御部について説明する。
【０１０３】
「外部情報取得部」は、外部情報を取得する。ここで、外部情報としては、例えば気温・湿度・降水確率・日射量・風速・気圧・波の高さなどの天気の情報や、発電量・売電量・買電量・消費電力量などの電気の情報、テレビ・照明装置・空調装置などの電化製品の稼働状況の情報など種々の情報が考えられる。ここで、外部情報は物理量取得部で取得する物理量とは異なる情報であり、物理量が消費電力量である場合は外部情報取得部では消費電力量以外の情報（例えば、発電量などの情報）を取得する。
【０１０４】
外部情報の取得は有線又は無線の通信回線を介して行うことも可能であるし、操作入力機器を介して受け付けることや、内部記憶装置から取得することも可能である。また、外部情報を取得することには、既に存在する情報に対して内部処理装置により処理を行うことにより新たな情報を生成することも含まれる。
【０１０５】
なお、取得する外部情報の種類は一種類である必要はなく、複数の種類の外部情報を取得する構成も可能である。例えば、天気の情報に合わせて電化製品の稼働状況の情報を取得することも考えられる。
【０１０６】
「指針色情報保持部」は、前記外部情報と前記指針の色とを関連付けた指針色情報を保持する。例えば、降水確率が２０％未満である場合は指針の色を青色にし、降水確率が２０〜６０％の範囲である場合は指針の色を黄色にし、降水確率が６０％以上である場合は指針の色を赤色にする、といった対応付けを指針色情報にて行うことが考えられる。
【０１０７】
また、電気を発電して、かつ、売電している場合は指針の色を青色にし、電気を発電して、かつ、買電している場合は指針の色を黄色にし、電気を発電していない場合は指針の色を赤色にする、といった対応付けを指針色情報にて行うことも可能である。なお、複数の種類の外部情報を取得する場合は、各外部情報に応じた指針色対応情報を保持することが考えられる。
【０１０８】
「指針色制御手段」は、前記外部情報と指針色情報に基づいて前記指針の色を制御する。
【０１０９】
<具体的な構成>
本実施形態の時計のハードウェア構成は、基本的に図５を用いて説明した実施形態１の時計のハードウェア構成と共通する。以下、実施形態１との相違点である処理について説明する。
【０１１０】
ＣＰＵは、通信器を介して外部情報を取得して、ＲＡＭに格納する。続いて、ＣＰＵは、ＲＯＭに格納されている前記外部情報と前記指針の色とを関連付けた指針色情報を読み出して、ＲＡＭに格納する。さらに、ＣＰＵは、取得した外部情報と指針色情報に基づいて指針の色を決定する処理を行い、処理結果をＲＡＭに格納する。さらに、ＣＰＵは、決定された指針の色を指定するための信号を指針制御回路に出力する。指針の色を指定するための信号を受信した指針制御回路は、指針を指定された色に制御する。
【０１１１】
<処理の流れ>
図２３は、時刻と物理量を示すための両用目盛を備える時計における処理の流れを示すフローチャートである。同図の処理の流れは以下のステップからなる。最初にステップＳ２３０１では、時刻に応じて両用目盛を指すための指針を駆動する（指針指示ステップ）。次にステップＳ２３０２では、所定時刻を起点とした物理量の情報を取得する（物理量取得ステップ）。次にステップＳ２３０３では、前記所定時刻において前記指針が指す両用目盛の目盛位置を物理量の原点位置として、取得した物理量の大きさを両用目盛にて示すための物理量インディケータを駆動する（物理量表示ステップ）。次にステップＳ２３０４では、外部情報を取得する（外部情報取得ステップ）。次にステップＳ２３０５では、前記外部情報と前記外部情報と前記指針の色とを関連付けた指針色情報に基づいて前記指針の色を制御する（指針色制御ステップ）。なお、実施形態４の処理の流れを基本とする処理の流れも可能である。
【０１１２】
<効果>
本実施形態の時計により、当該構成を有することにより、実施形態１、４の効果に加えて、外部情報を指針の色で表すことが可能になる。
【符号の説明】
【０１１３】
０２００…時計、０２０１…両用目盛、０２０２…指針、０２０３…指針駆動部、０２０４…物理量取得部、０２０５…物理量インディケータ、０２０６…物理量インディケータ駆動部、０５０１…ＣＰＵ、０５０２…ＲＡＭ、０５０３…ＲＯＭ、０５０４…不揮発性メモリ、０５０５…水晶発振器、０５０６…指針制御回路、０５０７…指針駆動回路、０５０８…発光制御回路、０５０９…発光器、０５１０…通信器、０５１１…システムバス、０８０７…第一駆動手段、１００８…第一判断手段、１００９…第一色制御手段、１３０５…物理量予測部、１３０６…予測量インディケータ、１３０７…予測量インディケータ駆動部、１６０８…第二駆動手段、１８０８…第二判断手段、１８０９…第二色制御手段、２００７…電力量取得手段、２２０７…外部情報取得部、２２０８…指針色情報保持部、２２０９…指針色制御手段
【要約】
【課題】従来の時計においては、時計が示す時刻を何気なく見た場合において、そこに付随的に示されている物理量がどの時刻を起点としたものであり、また現在時刻においてどのくらいの大きさになっているかを簡易に把握することができなかった。
【解決手段】以上の課題を解決するために、時刻と後記する物理量を示すための両用目盛と、時刻に応じて両用目盛を指すための指針を駆動する指針駆動部と、所定時刻を起点とする物理量の情報を取得する物理量取得部と、前記所定時刻において前記指針が指す両用目盛の目盛位置を物理量の原点位置として、取得した物理量の大きさを両用目盛にて示すための物理量インディケータを駆動する物理量インディケータ駆動部と、を有する時計などを提案する。
【選択図】図１【図１】
0004775749.tif 000002
【図２】
0004775749.tif 000003
【図３】
0004775749.tif 000004
【図４】
0004775749.tif 000005
【図５】
0004775749.tif 000006
【図６】
0004775749.tif 000007
【図７】
0004775749.tif 000008
【図８】
0004775749.tif 000009
【図９】
0004775749.tif 000010
【図１０】
0004775749.tif 000011
【図１１】
0004775749.tif 000012
【図１２】
0004775749.tif 000013
【図１３】
0004775749.tif 000014
【図１４】
0004775749.tif 000015
【図１５】
0004775749.tif 000016
【図１６】
0004775749.tif 000017
【図１７】
0004775749.tif 000018
【図１８】
0004775749.tif 000019
【図１９】
0004775749.tif 000020
【図２０】
0004775749.tif 000021
【図２１】
0004775749.tif 000022
【図２２】
0004775749.tif 000023
【図２３】
0004775749.tif 000024